(57)【要約】【課題】折線と交差する縦皺等の変形があるような連続帳票等でも確実かつ能率よく折畳むことができるようにする。【解決手段】本体ケーシング１に設けられた連続帳票の導入部、導入された連帳票の紙送り手段、連続帳票を収納する昇降可能なスタッカテーブル、本体ケーシング内に設けられ、水平軸心回りで回転して連続帳票を下方に供給する１対の引込みローラ、これらの引込みローラ下方に設けられ、供給される連続帳票を往復動作させる首振り機構７を備え、首振り機構は、１対の首振り用ローラ２６，２７を一定間隔あけて設けるとともに、これらの首振り用ローラを互いに平行な配置とし、各首振り用ローラの互いに向き合う周面が下向きに回転する設定とする。【選択図】  図１
2008037555.tif 000002
【特許請求の範囲】
【請求項１】
本体ケーシングと、この本体ケーシングに設けられた連続帳票の導入部と、導入された前記連帳票の紙送り手段と、前記連続帳票を収納する昇降可能なスタッカテーブルと、本体ケーシング内に設けられ、水平軸心回りで回転して前記連続帳票を下方に供給する１対の引込みローラと、これらの引込みローラ下方に設けられ、供給される連続帳票を往復動作させる首振り機構とを備え、前記首振り機構は、１対の首振り用ローラを一定間隔あけて設けるとともに、これらの首振り用ローラを互いに平行な配置とし、前記各首振り用ローラの互いに向き合う周面が下向きに回転する設定としたことを特徴とする連続帳票折畳み装置。
【請求項２】
前記首振り用ローラは、往復機構によって前記本体ケーシング内で紙の表裏方向に向う水平な一方向に沿って帳票送り速度と同期して往復動作される設定とした請求項１記載の連続帳票折畳み装置。
【発明の詳細な説明】
【技術分野】
【０００１】
本発明は連続帳票をジグザグに折畳む連続帳票折畳み装置に係り、特にレザープリンタ、フォーム加工機等と組合せ使用する場合等において折線と交差する縦皺等の変形があるような連続帳票等でも確実かつ能率よく折畳むことができる連続帳票折畳み装置に関するものである。
【背景技術】
【０００２】
例えばレザープリンタ、フォーム加工機等で処理されたビジネスフォーム等の連続帳票は、複数枚の積重ねシートとして形成され、ミシン目等による一定間隔の折線に沿ってジグザグに折畳まれる処理が行なわれる。
【０００３】
従来この処理を行なう連続帳票折畳み装置として種々の提案が行なわれており、例えば連続帳票を縦向きまたは斜め方向等に供給しつつ、紙面の厚さ方向に交互移動すなわち首振り動作させることにより、水平配置のスタッカに積重ね状態として収納する等の技術が開示されている（特許文献１、２、３等参照）。
【０００４】
そして従来の装置では、連続帳票の首振り動作を確実に行なうために、スタッカの一定距離上方の離れた位置、例えば帳票導入部に複数の回転ブラシあるいは叩き装置等を設け、帳票を強制的にジグザグに折込む手段が採用されている。
【特許文献１】特開平６−３２９３３１号公報
【特許文献２】特開平９−２０２５２０号公報
【特許文献３】特開平１１−６６０５７号公報
【発明の開示】
【発明が解決しようとする課題】
【０００５】
ところで、レザープリンタ、フォーム加工機等と組合せ使用する場合において、例えば加熱処理等により連続帳票の長さ方向、すなわち折線と交差する方向に沿う縦皺等の変形が発生することがある。
【０００６】
このような縦皺等の変形部分では、帳票の長さ方向に山なりとなるため紙面が硬直状態となり、帳票の首振り動作が行なえなくなって円滑な折畳みが阻害される。
【０００７】
上述の従来技術においては、連続供給される帳票がスタッカの一定距離上方の離れた位置で、回転ブラシあるいは叩き装置等でガイドする構成となっている。
【０００８】
このため、帳票が折畳み重合する付近においては、縦皺等の変形部分を平らに矯正することが困難であり、硬直状態となった帳票の紙面をジグザグに折畳むことができなくなり、必ずしも十分な対策とならない。
【０００９】
本発明はこのような事情に鑑みてなされたものであり、折線と交差する縦皺等の変形があるような連続帳票等でも確実かつ能率よく折畳むことができる連続帳票折畳み装置を提供することを目的とする。
【課題を解決するための手段】
【００１０】
前記の目的を達成するために、請求項１に係る発明では、本体ケーシングと、この本体ケーシングに設けられた連続帳票の導入部と、導入された前記連帳票の紙送り手段と、前記連続帳票を収納する昇降可能なスタッカテーブルと、本体ケーシング内に設けられ、水平軸心回りで回転して前記連続帳票を下方に供給する１対の引込みローラと、これらの引込みローラ下方に設けられ、供給される連続帳票を往復動作させる首振り機構とを備え、前記首振り機構は、１対の首振り用ローラを一定間隔あけて設けるとともに、これらの首振り用ローラを互いに平行な配置とし、前記各首振り用ローラの互いに向き合う周面が下向きに回転する設定としたことを特徴とする連続帳票折畳み装置を提供する。
【００１１】
請求項２に係る発明では、前記首振り用ローラは、往復機構によって前記本体ケーシング内で紙の表裏方向に向う水平な一方向に沿って帳票送り速度と同期して往復動作される設定とした連続帳票折畳み装置を提供する。
【発明の効果】
【００１２】
本発明によれば、折線と交差する縦皺等の変形があるような連続帳票等でも従来技術と異なり、折畳みが阻害されるようなことはなく、折り目まで確実に押さえ、能率よく、連続して折畳むことができる。
【発明を実施するための最良の形態】
【００１３】
以下、本発明に係る連続帳票折畳み装置の一実施形態について図面を参照して説明する。図１は連続帳票折畳み装置の要部構成を内部透視状態で示す正面図である。図２は図１の右側面図であり、図３は図１の平面図である。図４は作用説明図である。
【００１４】
図１〜図３に示すように、本実施形態の連続帳票折畳み装置は例えば縦長なボックス型の本体ケーシング１を備えている。この本体ケーシング１の一側部（図１右側部）には連続帳票２を導入する導入部３が設けられ、図示省略のレザープリンタ、フォーム加工機等から供給される連続帳票２が、図１に矢印ａ１，ａ２で示すように、本体ケーシング１の上方に向って導入されるようになっている。
【００１５】
本体ケーシング１内の一側上方位置には紙送り手段としてのトラクタ４が水平配置で設けられ、このトラクタ４が紙送り用モータ５によって回転し、図１に矢印ｂで示すように、連続帳票２が本体ケーシング１の上部に沿って水平に供給されるようになっている。
【００１６】
本体ケーシング１内には連続帳票を収納するスタッカテーブル３８が配置され、このスタッカテーブル３８は、図１および図２に矢印ｄで示すように、昇降用ラック８ａにより昇降駆動可能とされている。このスタッカテーブル３８の昇降速度は、所定の帳票送り速度に対応する速度設定がなされている。
【００１７】
トラクタ４の帳票送り方向前方、すなわち本体ケーシング１内の略中央位置には、水平軸心回りで回転する１対の引込みローラ６，６が互いに外周面を接して転接状態で配置されており、これらの引込みローラ６，６間を連続帳票２が挿通され、本体ケーシング１の下方に向きを変えて供給される構成となっている。
【００１８】
引込みローラ６，６の下方には、供給される連続帳票２をトラクタ４の供給方向と平行な水平方向（図１の矢印ｃ（左右）方向）に往復動作させる首振り機構７が設けられている。
【００１９】
この首振り機構７は図１、図２および図３に示すように、１対の首振り用ローラ２２，２３を一定間隔をあけて備えている。これらの首振り用ローラ２２，２３は水平で互いに平行な配置とされ、それぞれ支軸に一定または任意の間隔で大径な紙押付けローラ２６，２７を同軸で設けたものである。
【００２０】
各首振り用ローラ２２，２３の軸端には、それぞれ従動プーリ２８，２９が一体回転可能に設けられており、これらの従動プーリ２８，２９はベルト２５を介して同一の駆動プーリ２１に連結されている。そして、駆動プーリ２１は首振り用駆動モータ２０によって回転され、これにより各首振り用ローラ２２，２３は互いに向き合う周面が下向きに回転する設定、すなわち相反する方向に回転駆動される設定とされている。
【００２１】
そして、連続帳票２が引込みローラ６，６から各紙押付けローラ２６，２７間に供給された場合には、これらの各紙押付けローラ２６，２７が互いに離間した状態で連続帳票２にそれぞれ接触回転して、連続帳票２を下方に送給するようになっている。なお、図１に示すように、ベルト２５には張力調整具２４が装着されている。
【００２２】
このように構成された紙押付けローラ２６，２７は、連結ガイド部材１７，１８を介してガイドシャフト１９に支持され、図１および図３に矢印ｃで示したように、下記の往復機構８によって、本体ケーシング１内の一方向に沿って一定ストロークで往復動作するようになっている。なお、ガイドシャフト１９は、本体ケーシング１窓部３０内に配置されている。
【００２３】
往復機構８は、本体ケーシング１に支持された正逆回転モータ９と、この正逆回転モータ９の軸に連結された駆動プーリ９ａと、この駆動プーリ９ａに巻回された伝導ベルト１０と、伝導ベルト１０によって回転する従動プーリ１１，１２，１３とを備えている。
【００２４】
これらの従動プーリ１１，１２，１３は、本体ケーシング１内における紙押付けローラ２６，２７の移動方向ｃに沿ってそのストロークと略同一長さに亘って配置されている。
【００２５】
そして、往復機構８には、連結ガイド部材１７，１８を介してガイドシャフト１９が設けられ、移動用モータ１４を備えた構成となっている。
【００２６】
次に図４も参照して作用を説明する。本実施形態の連続帳票折畳み装置では、図１および図４に矢印ｃで示したように、首振り用ローラ２２，２３を往復機構８によって本体ケーシング１内で紙の表裏方向に向う水平な一方向に沿って帳票送り速度と同期して往復動作させる。
【００２７】
この操作により、図４に示すように、対をなす首振り用ローラ２２，２３が連続帳票２の両面に対して、紙面全体を表裏から常に均等に押圧するようになる。すなわち、連続帳票２を引き込みながら、連続帳票２の下端上面を折る方向に一方に押す状態が得られる。この時、首振り用ローラ２２，２３は相反する方向に回転する。
【００２８】
したがって、ローラは連続帳票２を下方に引張りながら回転する。これと同時にもし、レザープリンタ、フォーム加工機等と組合せ使用下場合に加熱処理等により連続帳票２の長さ方向、すなわちミシン目等の折線２ｂと交差する方向に沿う縦皺等の変形２ａが発生した場合においても、本実施形態によれば、このような縦皺等の変形部分を押圧して平坦に伸ばす作用を起させる。
【００２９】
そして、この作用はジグザグ状に折り曲げる両方向についても常時作用する。これにより、折線と交差する縦皺等の変形があるような連続帳票等でも従来技術と異なり、折畳みが阻害されるようなことはなく、折り目まで確実に押さえ、能率よく、連続して折畳むことができる。
【００３０】
なお、本発明では、折癖等の修正が行なえるほか、連続帳票２ミシン目さえ有していれば折癖がなくてもジグザグに折畳み可能である。
【図面の簡単な説明】
【００３１】
【図１】本発明に係る連続帳票折畳み装置の一実施形態を示す正面構成図。
【図２】本発明に係る連続帳票折畳み装置の一実施形態を示す側面構成図。
【図３】本発明に係る連続帳票折畳み装置の一実施形態を示す平面構成図。
【図４】本発明に係る連続帳票折畳み装置の一実施形態を示す作用説明図。
【符号の説明】
【００３２】
１  本体ケーシング
２  連続帳票
３  導入部
４  トラクタ
５  トラクタ駆動モータ
６  引込みローラ
７  首振り機構
８  往復機構
９  正逆回転モータ
９ａ  駆動プーリ
１０  伝導ベルト
１１  従動プーリ
１２  従動プーリ
１３  従動プーリ
１４  移動用モータ
１５  駆動プーリ
１６  従動プーリ
１７  連結ガイド部材
１８  連結ガイド部材
１９  ガイドシャフト
２０  首振り用駆動モータ
２１  駆動プーリ
２２  首振り用ローラ
２３  首振り用ローラ
２４  張力調整具
２５  ベルト
２６  紙押付けローラ
２７  紙押付けローラ
２８  従動プーリ
２９  従動プーリ
３０  窓部
３８  スタッカテーブル
【図１】
2008037555.tif 000003
【図２】
2008037555.tif 000004
【図３】
2008037555.tif 000005
【図４】
2008037555.tif 000006